(57)【要約】【課題】  仕分ける品種を均等に供給する。【解決手段】  使用済みフイルムユニットは、仕分けライン３５で品種ごとに仕分けられ、品種ごとに設置した分解ライン３６〜３８に供給される。仕分けライン３５には、品種識別部４５、仕分け部４６が設けられている。仕分け部４６には、フイルムユニットの搬送方向に沿って振分機構５２〜５４が品種に応じた数分だけ配されている。各振分機構５２〜５４は、バッファ部４８に送るバッファラインと分解ライン３６〜３８に供給する供給ライン５５〜５７とのうちの何れか一方に振り分ける。制御部５１は、識別した品種の数を計数し、計数値に基づいて振分機構５２〜５４の振り分けを制御する。【選択図】        図８
2005081249.tif 000002
【特許請求の範囲】
【請求項１】
使用後に回収してリサイクルされるとともに、品種に応じて表又は裏面の形状、又は内部部品の形状又は位置が異なる物品を、一方向に向けて搬送する搬送手段と、前記搬送手段により搬送される物品を撮影する撮影手段と、前記撮影手段で得られた画像の画像データに基づいて物品の品種を識別し、識別情報を送る識別手段と、前記識別情報に基づいて識別後の物品を品種ごとに仕分けする仕分け手段とを備えた仕分け装置において、
前記識別後の物品を品種ごとに設けた分解ラインにそれぞれ供給する複数の供給部と、前記識別後の物品を貯めておくバッファ部とを備え、
前記仕分け手段は、仕分けするときに、その物品の品種に対応した分解ラインの処理能力に余裕がない場合には物品をバッファ部に仕分けし、余裕がある場合には品種ごとに決められた前記供給部に仕分けすることを特徴とする物品の仕分け装置。
【請求項２】
前記仕分け手段は、前記識別情報に基づいて識別した品種ごとの数を単位時間内で計数し、仕分けするときにその時点に識別した品種に対応した前記計数値と予め決められた各分解ラインの処理数とを比較し、前記計数値が予め決められた処理数を超えている場合には物品をバッファ部に仕分けし、超えていない場合には品種ごとに決められた前記供給部に仕分けすることを特徴とする請求項１記載の物品の仕分け装置。
【請求項３】
前記仕分け手段は、前記各供給部に滞留する物品の数を監視し、識別した品種に応じた供給部に物品を滞留する余裕がない場合には物品をバッファ部に仕分けし、余裕がある場合には品種ごとに決められた前記供給部に仕分けすることを特徴とする請求項１記載の物品の仕分け装置。
【請求項４】
前記バッファ部は、貯めておいた物品を撮影手段、又はその上流側の搬送手段に再投入することを特徴とする請求項１から３いずれか記載の物品の仕分け装置。
【請求項５】
前記撮影手段は、エックス線撮影機を用いて物品を表又は裏面から撮影するとともに、前記識別手段は、前記撮影手段で得られた透過画像に基づいて物品の品種を識別することを特徴とする請求項１から４いずれか記載の物品の仕分け装置。
【請求項６】
前記バッファ部は、品種ごとに分けて物品を貯めておく複数のバッファ部で構成されており、また、前記各バッファ部と各供給ラインとのうちの品種に応じたもの同士を補充ラインで繋ぎ、前記仕分け手段は、処理能力に余裕のある分解ラインが存在するときに、その分解ラインに対応する品種の物品をバッファ部から供給部に補充供給するように制御することを特徴とする請求項１から５いずれか記載の物品の仕分け装置。
【請求項７】
使用後に回収してリサイクルされるとともに、品種に応じて表又は裏面の形状、又は内部部品の形状又は位置が異なる物品を、搬送手段で一方向に向けて搬送し、搬送される物品を撮影手段で撮影した後に、前記撮影手段で得られた画像の画像データに基づいて識別手段で前記物品の品種を識別し、その識別情報に基づいて仕分け手段が識別後の物品を品種ごとに仕分けする仕分け方法において、
前記識別後の物品を品種ごとに設けた分解ラインにそれぞれ供給する複数の供給部と、前記識別後の物品を貯めておくバッファ部とを備え、
前記仕分け手段は、仕分けするときに、その物品の品種に対応した分解ラインの処理能力に余裕がない場合には物品をバッファ部に仕分けし、余裕がある場合には品種ごとに決められた前記供給部に仕分けすることを特徴とする物品の仕分け方法。
【請求項８】
前記仕分け手段は、前記識別情報に基づいて識別した品種ごとの数を単位時間内で計数し、仕分けするときにその時点に識別した品種に対応した前記計数値と予め決められた各分解ラインの処理数とを比較し、前記計数値が予め決められた処理数を超えている場合には物品をバッファ部に仕分けし、超えていない場合には品種ごとに決められた前記供給部に仕分けすることを特徴とする請求項７記載の物品の仕分け方法。
【請求項９】
前記仕分け手段は、前記各供給部に滞留している物品の数を監視し、識別した品種に応じた供給部に物品を滞留する余裕がない場合には物品をバッファ部に仕分けし、余裕がある場合には品種ごとに決められた前記供給部に仕分けすることを特徴とする請求項７記載の物品の仕分け方法。
【請求項１０】
前記バッファ部は、貯めておいた物品を撮影手段、又はその上流側の搬送手段に再投入することを特徴とする請求項７から９いずれか記載の物品の仕分け方法。
【請求項１１】
前記撮影手段は、エックス線撮影機を用いて物品を表又は裏面から撮影するとともに、前記識別手段は、前記撮影手段で得られた透過画像に基づいて物品の品種を識別することを特徴とする請求項７から１０いずれか記載の物品の仕分け方法。
【請求項１２】
前記バッファ部で品種ごとに分けて物品を貯め、前記仕分け手段は、余裕のある分解ラインが存在するときに、その分解ラインに対応する品種の物品をバッファ部から供給部に補充供給することを特徴とする請求項７から１１いずれか記載の物品の仕分け方法。
【発明の詳細な説明】
【技術分野】
【０００１】
本発明は、リサイクルする物品を回収し、回収した物品を品種ごとに仕分けする物品の仕分け方法及び装置に関するものである。
【背景技術】
【０００２】
環境保全や産業廃棄物の削減のために、工業製品のリサイクルが行われている。一般的に、このリサイクルには、材料ごとに部品を原料化して使用する再生使用と、部品をそのまま新しい工業部品に用いるリユースとがある。レンズ付きフイルムユニット（以下、「フイルムユニット」と称す。）では、撮影済の写真フイルムの取り出し後に回収して分解ラインで分解し、取り出した露光ユニットやストロボユニット等の機能部品を再使用（リユース）し、それ以外の表カバー、及び裏カバー等のプラスチック部品を再生使用している（特許文献１）。
【０００３】
ところで、フイルムユニットは、外部形状や内部機構が異なる多数の品種が提供されている。分解ラインは、自動機によって構成されており、品種ごとに分けて設置されている。したがって、回収したレンズ付きフイルムユニットの品種を識別し、その後にフイルムユニットを品種ごとに仕分して、対応する分解ラインに供給する必要がある。
【０００４】
フイルムユニットは、撮影レンズやストロボ発光部などの主要な構成部分が表面側（前面側）に設けられるため、品種ごとの特徴が表面側の外観に表れる。フイルムユニットを品種ごとに識別して仕分ける装置としては、フイルムユニットを一定姿勢に揃えて搬送し、その途中でフイルムユニットの表面を撮像して得た画像データを、品種ごとに用意した表面の基準画像データと比較してフイルムユニットの品種識別を行っている（特許文献２、特許文献３、特許文献４）。
【０００５】
【特許文献１】特開平６−１６１０４２号公報
【特許文献２】特開平６−１６００４８号公報
【特許文献３】特開平８−２８２８３７号公報
【特許文献４】特開２０００−１４２９６２号公報
【発明の開示】
【発明が解決しようとする課題】
【０００６】
しかしながら、前述したような仕分け装置では、物品の品種を識別するための外観上の特徴が表又は裏面のいずれかの面に限られている場合、物品の表裏を何れか一方に揃えておかなければならない。したがって、物品の品種識別を全自動で行おうとすると、事前に物品の表裏判定を行って不適当なものは反転させておかなくてはならず、表裏判定及び反転用の設備が不可欠となって装置全体が大型化し、また処理時間も長くなりやすいという欠点がある。なお、品種ごとに表及び裏面の基準画像を用意しておき、これら基準画像を表面又は裏面の何れかの撮像画像に照合すれば１回の撮影で品種を識別することができるが、フイルムユニットなどの物品は、異なる品種でも裏面の外観が同じものが多いため、表面で識別する必要がある。
【０００７】
また、前述した特許文献２〜４に記載の仕分け装置では、供給されてくるものを単に仕分けするだけであるため、フイルムユニットの品種が偏って回収された場合、仕分け後に供給される分解ラインもその品種に応じたラインのみに偏ってフイルムユニットが供給され、均等に配分されずに偏った処理となってしまう。しかも、一方に偏ると、その分解ラインの処理能力が追いつかないばかりか、バッファ分以上に過剰供給するとその上流の仕分けラインも停止してリサイクル作業の効率が低下する欠点があった。
【０００８】
本発明は、上記背景を考慮してなされたもので、下流のラインに特定の品種を過剰供給することなく効率的に仕分けすることができる物品の仕分け方法及び装置を提供することを目的とする。
【課題を解決するための手段】
【０００９】
上記目的を達成するために、本発明では、識別後の物品を品種ごとに設けた分解ラインにそれぞれ供給する複数の供給部と、識別後の物品を貯めておくバッファ部とを備え、仕分け手段は、仕分けするときに、その物品の品種に対応した分解ラインの処理能力に余裕がない場合には物品をバッファ部に仕分けし、余裕がある場合には品種ごとに決められた前記供給部に仕分けするようにしたものである。具体的には、仕分け手段は、例えば、識別した品種の個数や品種ごとの分解ラインの空き状況などから品種ごとの分解ラインの処理能力を予測し、予測の処理能力に基づいてバッファー部と供給部とに仕分ける。
【００１０】
識別した品種の個数に基づいて仕分けする場合には、識別情報に基づいて識別した品種ごとの数を単位時間内で計数し、仕分けするときにその時点で識別した品種に対応する前記計数値と予め決められた各分解ラインの処理数とを比較し、前記計数値が予め決められた処理数を超えているか否かで判断してもよい。超えている場合には物品をバッファ部に仕分けし、超えていない場合には品種ごとに決められた供給部に仕分けする。
【００１１】
また、品種ごとの分解ラインの空き状況、又は供給ラインに滞留する個数に基づいて仕分けしてもよい。この場合には、仕分け手段が、各供給ラインに物品が滞留している数を監視し、その供給ラインに物品を滞留する余裕がない場合には物品をバッファ部に仕分けし、余裕がある場合には品種ごとに決められた供給部に仕分けする。なお、滞留する個数の代わりに、空き状況に基づいて仕分けしてもよい。この場合には、分解ラインの空き状況を監視すればよい。
【００１２】
撮影手段としては、ＣＣＤなどの固体撮像素子で外観を撮影し、撮影した画像に基づいて品種を識別してもよいし、また、エックス線撮影装置を用いて透過画像を得て、透過画像から内部部品の配置や形で品種を識別してもよい。透過画像の場合には、裏面から撮影した画像でも、特徴のある表面の外観に応じた内部部品の配置が写るため、１回の撮影で確実に品種を識別することができる。
【００１３】
バッファ部としては、品種ごとに貯めるように構成するのが好適である。品種ごとに貯めれば、例えば分解ラインの稼働状況から空きがある場合、バッファ部からその品種の物品を直接に供給部に送ることが可能である。このような構成にすると、リサイクルの効率が向上する。
【発明の効果】
【００１４】
本発明では、識別した個数や空き状況などから品種ごとの分解ラインの処理能力を予測し、予測した処理能力に基づいて物品をバッファー部と供給部とに仕分けるため、過剰供給を行うことなく、効率の良いリサイクルを行うことができる。また、エックス線撮影によって品種を識別する発明では、表面にのみ特徴のある品種を裏面が上に向けた姿勢でも確実に識別することができる。
【発明を実施するための最良の形態】
【００１５】
フイルムユニット１０は、図１に示すように、樹脂製の表及び裏カバー１１，１２とで構成された外カバーの内部に、写真フイルムカートリッジ１３、樹脂製の本体基部１４、及び露光ユニット１５等が内蔵されている。本体基部１４は、裏カバー１２との間で写真フイルムカートリッジ１３を光密に収納する。露光ユニット１５は、撮影レンズ、シャッタ機構、シャッタチャージ機構、フイルム巻き止め機構、及びファインダ光学系等の露光付与機構を一体に組み込んだ構成となっており、表カバー１１と本体基部１４との間に着脱自在に取り付けられる。
【００１６】
裏カバー１２には、底面に向けて突出した底蓋１７がプルトップ式に開閉自在に設けられている。底蓋１７は、現像所で撮影済みの写真フイルムを収納したカートリッジを取り出すときに開かれる。
【００１７】
フイルムユニット１０には、ストロボユニットを内蔵しているか否かでも品種が異なる。図１で説明したものは、ストロボユニットを内蔵したタイプであるため、露光ユニット１５の横にストロボユニット１６が配されている。ストロボユニット１６には、ストロボ基板１８の銅箔パターン、電源電池１９、メインコンデンサ２０、ストロボ発光部２１の反射傘など金属部品を多く含むものが一体的に取り付けられている。また、ストロボユニット１６以外のシャッタ機構、シャッタチャージ機構、及びフイルム巻き止め機構などにも、チャージ用バネ、シャッタ羽根引き戻し用のバネなどの金属部品が組み込まれている。このようにフイルムユニット１０は、樹脂製の部品と金属製の部品とが混在して内蔵されている。
【００１８】
図２に示すように、外カバー１１，１２の周りには、装飾のために紙箱やラベルなどの外ケース２２が取り付けられている。外ケース２２からは、撮影レンズ２３、及びファインダ対物窓２４が、また裏面にはファインダ接眼窓２５、巻き上げノブ２６等がそれぞれ露呈されている。なお、ストロボ付きのものは、表面にストロボ発光部２１、及びストロボ充電ボタン２７がそれぞれ露呈している。
【００１９】
フイルムユニット１０は、品種毎に輪郭形状が異なる。また、表面の外観も異なる。その相違は、図３に示すように、正面輪郭の縦横比、グリップ部２８の正面輪郭及び輪郭に対する位置、レンズ鏡筒２９の形状及び輪郭に対する位置、ファインダ対物窓２４の形状及び輪郭に対する位置、ストロボ発光部２１の有無、ストロボ発光部２１の形状及び輪郭に対する位置、ストロボ充電ボタン２７の有無、ストロボ充電ボタン２７の形状及び輪郭に対する位置等である。また、図４に示すように、裏面も巻き上げノブ２６、接眼窓２５の位置が品種に応じて異なっている。このように、表又は裏面に表れる機能部品に応じて内部の金属部品の配置も異なっている。
【００２０】
本実施形態では、表又は裏面のうちの何れか一方から１回の撮影を行ってフイルムユニット１０の品種を識別することができるように、エックス線撮影装置を用いる。この装置は、フイルムユニット１０の表又は裏面にエックス線を照射器から照射し、フイルムユニット１０を挟んで照射器とは反対側に配したエックス線ラインセンサで透過したエックス線を受像し、エックス線ラインセンサから一次元データが出力される。コンベヤの速度に同期して一次元データをメモリに貯めて２次元データを作る画像処理を行って透過画像とする。識別は、予め基準の特徴となるパターンを基準画像として登録しておき、基準画像と透過画像とを画像処理部のメモリ内で重ね合わせて両者の一致度を判定するパターンマッチング法により行う。
【００２１】
透過画像３０，３１は、図５及び図６に示すように、エックス線の透過率の違いによりフイルムユニット１０の内部部品のうちの樹脂製部品３２の範囲が白く、また金属製部品３３の輪郭内が黒く写る。特徴範囲の抽出は、特徴となる金属製部品３３が写る範囲の画像を品種ごとに複数記憶した基準画像を撮影した透過画像に照合して透過画像に最も近い基準画像を選択してその画像に対応した品種をその時点のフイルムユニット１０の品種に特定する。
【００２２】
なお、エックス線撮影装置を用いた透過画像で識別する代わりに、固体撮像素子（ＣＣＤ）で撮像した表面画像を用いても良い。この場合、フイルムユニット１０の表又は裏面のうちの何れか一方又は両方を撮像する。表面で特定する場合、前述したグリップ部２８、撮影レンズ２３、レンズ鏡筒２９、ファインダ対物窓２４，ストロボ発光部２１、及びストロボ充電ボタン２７等の形状や位置の特徴の相違に基づいて品種を判定する。判定は、フイルムユニット１０を撮像した画像から濃度パターンや輪郭線パターン等に画像処理し、これらのパターンと前述した特徴の相違を予め画像データとして登録した基準画像データとを比較することによって品種を判定する。
【００２３】
また、透過画像、又は表面画像に基づいて品種を識別する方法としては、前述したパターンマッチング法の代わりに、撮像した画面内の特定箇所に例えば複数のウインドを設け、これらの中の白又は黒の画素数を求めて特徴となるパターンの位置を認識するウインド設定法などによって品種を識別してもよい。
【実施例】
【００２４】
フイルムユニット１０は、現像所で撮影済の写真フイルムを取り出し後に、コンテナ等の側壁を持った容器（トレイ）に所定量収納した状態で工場に回収される。
【００２５】
回収したフイルムユニット１０は、図７に示すように、仕分けライン３５で品種ごとに仕分けされ、仕分けしたものが品種ごとに設置した分解ライン３６〜３８に供給され、分解ライン３６〜３８でリユースするための露光ユニット１５やストロボユニット１６などの部品を取り出し、取り出した部品を検査した後に組立ラインに供給してリサイクルされる。分解ライン３６〜３８では、底蓋１７を閉めたり、閉められないものについては底蓋１７を切除するなどの変形品を修正する変形品修正工程３９と、外ケース２２を取り除く外ケース除去工程４０とを経てから分解工程４１に送られる。
【００２６】
仕分けライン３５は、図８に示すように、投入部４３、整列部４４、品種識別部４５、仕分け部４６、搬送コンベヤ４７、バッファ部４８、環流コンベヤ４９、追跡手段５０、及び制御部５１などで構成されている。
【００２７】
搬送コンベヤ４７はフイルムユニット１０を一方向に向けて搬送する。搬送コンベヤ４７の搬送路上には、投入部４３、整列部４４、品種識別部４５、及び仕分け部４６が搬送方向に沿って順に配されている。
【００２８】
投入部４３では、ランダムな品種のフイルムユニット１０を自由な姿勢で搬送コンベヤ４７に投入する。
【００２９】
整列部４４では、フイルムユニット１０を表又は裏面を上に向けた姿勢に、且つ、重ならないように、さらに、搬送方向に間隔を空けて一列となるように、フイルムユニット１０を整列させる。
【００３０】
品種識別部４５は、フイルムユニット１０の品種を１個ずつ識別し、識別情報を制御部５１に送る。
【００３１】
仕分け部４６は、複数の振分機構５２〜５４が搬送方向に沿って順に配されている。各振分機構５２〜５４は、供給ライン５５〜５７とバッファライン５８〜６０とにフイルムユニット１０を振り分ける。各供給ライン５５〜５７は、フイルムユニット１０を品種に応じた分解ライン３６〜３８に供給する。バッファライン５８〜６０は、フイルムユニット１０をバッファ部４８に送る。したがって、振分機構５２〜５４、供給ライン５５〜５７、及びバッファライン５８〜６０は、フイルムユニット１０の品種に応じた数だけ用意されており、各振分機構５２〜５４は、決められた品種のフイルムユニット１０のみを振り分けする。各供給ライン５５〜５７、及びバッファライン５８〜６０には、決められた品種のフイルムユニット１０のみが搬送される。
【００３２】
制御部５１は、図９に示すように、識別情報に基づいて品種ごとの数を単位時間当たりでカウントするとともに、追跡手段５０を通じて識別後のフイルムユニット１０を追跡し、フイルムユニット１０がその品種に応じた振分機構５２〜５４に到達したら、フイルムユニット１０を供給ライン５５〜５７又はバッファライン５８〜６０のうちの何れか一方に振り分けるように振分機構５２〜５４を制御する。
【００３３】
振り分けの判断は、品種ごとの単位時間当たりのカウント値（数量）と予め決めた分解ラインの処理数とを比較することで行う。詳しく説明すると、単位時間当たりのカウント値が例えば、品種Ａが１０個／ｍｉｎで、その品種に応じた分解ライン３６の単位時間当たりの処理数（予め決められた処理能力）が例えば、３０個／ｍｉｎに予め決められている場合、両者を比較し、分解ラインの処理数よりも単位時間当たりのカウント値が低い場合には、供給ライン５５〜５７にフイルムユニット１０を振り分けて品種ごとに配した分解ライン３６〜３８に仕分ける。また、逆に分解ラインの処理数がカウント値よりも高い場合にはバッファライン５８〜６０に振り分けて過剰供給を防止する。そして、両者が同じ場合には、どちらに振り分けてもよい。
【００３４】
なお、制御部５１で識別した品種の数をカウントする代わりに、各分解ライン３６〜３８に投入される品種ごとの単位時間当たりの実際の数をカウントして用いても良い。この場合には、振分機構５２〜５４により各供給ライン５５〜５７に振り分けた直後で実際のフイルムユニット１０の通過をセンサで検知してカウントするのが最も望ましく、また分解ライン３６〜３８の入り口でカウントしてもよい。
【００３５】
さらに、供給ライン５５〜５７に滞留している数、又は空きの数に基づいて振り分けしてもよい。この場合には、供給ライン５５〜５７に滞留している数を求めるためには、振分機構５２〜５４から供給ライン５５〜５７に送られる品種ごとの数（Ａ）を計測する。次に供給ライン５５〜５７から分解ライン３６〜３８に入っていく品種ごとの数（Ｂ）を計測する。そして、両者の差（Ａ−Ｂ）から品種ごとの供給ライン５５〜５７に滞留している個数（Ｎｔ）を求める。各供給ライン５５〜５７に安定的に滞留することができる最大個数をＮｍとする。そして、振り分けのときにＮｍ＞Ｎｔの場合には、分解ライン３６〜３８の処理能力に余裕があると判断して供給ライン５５〜５７に振り分ける。逆に、Ｎｍ＜Ｎｔのときには分解ライン３６〜３８の処理能力に余裕がないと判断してバッファライン５８〜６０に振り分けする。また、空きの数に基づいて振り分けする場合には、空きが在る場合には供給ライン５５〜５７に振り分け、無い場合にはバッファライン５８〜６０に振り分けする。なお、簡便な構成にするために、各供給ライン５５〜５７の満杯となる位置にセンサを設け、満杯を検知することに応答してバッファライン５８〜６０に振り分けるように構成してもよい。
【００３６】
追跡手段５０としては、搬送コンベヤ４７の送り量を計測して追跡するのに加えて、振分機構５２〜５４ごとに配置した複数のセンサで、各振分機構５２〜５４の位置を通過するフイルムユニット１０を順次に検出することで追跡する構成になっている。このように搬送コンベヤ４７の搬送方向に沿って仕分け部４６、供給ライン５５〜５７、及びバッファライン５８〜６０を順に配列する構成にすると、品種が増えてもそれらを簡単に増設することができる。
【００３７】
バッファ部４８は、品種毎に分けて又は混在してフイルムユニット１０をバッファする。環流コンベヤ４９は、バッファ部４８から投入部４３又は整列部４４にフイルムユニット１０を再投入する。バッファ部４８で品種を混在してバッファする構成の場合には、自動的に環流コンベヤ４９で再投入させればよい。
【００３８】
バッファ部４８で品種ごとに分けてバッファする場合には、各分解ライン３６〜３８の空き状況、又は５５〜５７に物品が滞留している数を常に監視し、分解ライン３６〜３８又はの空き状況に余裕がある場合に、制御部５１がその品種のものだけを投入部４３又は整列部４４に再投入するようにバッファ部４８を制御する構成にするのが好適である。このようにすれば、品種の偏りを平均化することができる。
【００３９】
また、投入部４３又は整列部４４に再投入する代わりに、品種に応じた供給ライン５５〜５７に直接に投入するようにしてもよい。この場合には、各バッファ部４８と各供給ライン５５〜５７とのうちの品種に応じたもの同士を補充コンベヤで繋ぎ、余裕のある場合、分解ライン３６〜３８に対応する品種の物品をバッファ部４８から供給ライン５５〜５７に直に補充供給するように制御部５１がバッファ部４８を制御すればよい。これにより、環流コンベヤ４９を省略することができる。
【００４０】
次に、品種識別部４５について、具体的な構成を説明する。品種識別部４５には、撮影部７０、及び画像処理・識別回路７１とで構成されており（図８参照）、本発明の識別手段は、制御部５１も含む。撮影部７０は、エックス線照射器と撮影器とで構成されており、これらは搬送面の撮影範囲を挟んで対向する両側に固定され、フイルムユニット１０に表又は裏面のうちの一方からエックス線を照射する。撮影範囲にフイルムユニット１０が１個ずつ搬送されると、これをセンサで検知し、その検知信号に応答して撮影が開始される。撮影は、搬送コンベヤ４７の搬送を止めずに行う。なお、止めて行ってう場合には、エックス線２次元センサを用いて全面照射する。撮影した透過画像は、グレースケール画像となっており、フイルムユニット１０の内部部品のうちの金属製部品が黒っぽく写り、樹脂製部品が白っぽく写る。
【００４１】
撮影器には、前述したように、一次元ラインセンサが内蔵され、また、コンベアの速度情報が入力されている。撮影器では、照射をしてからコンベヤ速度に同期して一次元ラインデータをシフトして、二次元データをメモリ上で作り、出来上がった二次元データを透過画像として画像処理・識別回路７１に出力する。画像処理・識別回路７１では、透過画像に基づいてメモリに予め記憶されているプログラムを実行して撮影したフイルムユニット１０の品種を特定する。なお、透過画像を出力した後には、メモリをクリアし、次回の撮影の準備を行う。
【００４２】
画像処理・識別回路７１には、画像処理回路、比較回路、ＲＯＭ、及びＲＡＭなどのメモリを備えており、予め決められた基準画像がメモリに、品種に対応付けして記憶されている。基準画像は、品種ごとに特徴のある範囲（例えば図５及び図６に符号７５，７６で示した範囲）の画像を登録してある。また、特徴範囲は、品種ごとで位置が異なっているのに加えて、１品種に対して複数の範囲を登録している場合もある。さらに、基準画像は、品種ごとで表面と裏面とから写した２種類のものが用意されている。なお、フイルムユニット１０では、電源電池１９やストロボ発光部２１の輪郭及び面積が品種に係わらず略同じであるため、バネなどの金属製部品の輪郭及び面積が得られる範囲を特徴範囲としている。
【００４３】
撮影した透過画像は、図１０に示すように、まず、画像処理を施してフイルムユニット１０の輪郭を抽出し、基準画像に対して透過画像の傾き角度、すなわち、搬送面に垂直な軸周りの回転角度を計算し、透過画像が基準画像と同じ向きとなるように透過画像の向きを揃える。
【００４４】
次に、一定の向きに揃った透過画像に対して画像処理を施して基準画像に応じた特徴範囲の画像を一つ又は複数抽出する。抽出する特徴範囲は、基準画像を登録するときにその基準画像の輪郭に対する位置を入力することで、自動的に抽出する範囲として登録される。抽出した一つ又は複数の特徴範囲の画像は、各基準画像に順に照合され、最も相関値の近い基準画像を選択し、選択した基準画像に応じた品種をその時点で撮影したフイルムユニット１０の品種に特定する。このとき、選択した基準画像から撮影方向側がフイルムユニット１０の裏面か表面かの情報を得ることができる。
【００４５】
次に、透過画像を二値データに変換し、二値データから輪郭内の白画素数を計数してその計数値に基づいてストロボユニット１６を内蔵しているか否かを特定する。また、二値データから輪郭内の黒画素数を計数し、その計数値に基づいて電源電池１９があるか否かを特定する。ストロボユニット１６は、そのほとんどがストロボ基板１８の銅箔パターン、電源電池１９、メインコンデンサ２０、及びストロボ発光部２１などの金属製部品であるため黒画素で表れ、その面積も広い。そこで、ストロボユニット１６を内蔵か否かをフイルムユニット１０の輪郭内の白画素数の数を調べ、その数が予め決めた基準値よりも少ない場合にはストロボユニット１６を内蔵していない品種、逆が内蔵している品種であると特定する。
【００４６】
逆に、電源電池１９は、ストロボユニット１６を内蔵していないものには当然入っていないが、ストロボユニット１６を内蔵したものでも不正に取り外されて電源電池１９が入っていないものもある。そこで、ストロボユニット１６を内蔵したものについても電源電池１９があるか否かを調べることができるように、フイルムユニット１０の輪郭内の黒色画素の数に基づいて特定している。すなわち、黒色画素の数が基準値よりも少ない場合には電源電池１９を内蔵していないもの、逆が内蔵しているものと特定する。
【００４７】
画像処理・識別回路７１は、これら識別情報を制御部５１に送る。識別情報としては、図１１に示すように、品種情報だけではなく、電池の有無、撮影方向側が表面か裏面かの情報が分かるように、品種を表す二桁のコード、電池の有無を表す一桁のコード、及び裏又は表面を表す一桁のコードを順に組み合わせて作った識別結果コード（データ）の形態で制御部５１に、投入品に対応付けして送られる。このようなデータをフイルムユニット１０の供給に同期して分解ライン３６〜３８に送ることで、分解ライン３６〜３８でのフイルムユニット１０の姿勢を揃える工程での作業の簡便化や電源電池１９を取り出す工程での作業の省略化など作業効率を向上することができる。
【産業上の利用可能性】
【００４８】
上記実施形態では、フイルムユニットを仕分けする方法及び装置に係るものであるが、本発明は使用後に回収して分解ラインを経てリサイクルされる物品であれば、フイルムユニット以外の様々な物品を対象に適用することができる。
【図面の簡単な説明】
【００４９】
【図１】本発明の仕分け機構で仕分けされるフイルムユニットを示す分解斜視図である。
【図２】フイルムユニットの外観を示す斜視図である。
【図３】フイルムユニットの正面（表面）である。
【図４】フイルムユニットの背面（裏面）図である。
【図５】フイルムユニットの正面（表面）のエックス線透過画像を示す説明図である。
【図６】フイルムユニットの背面（裏面）のエックス線透過画像を示す説明図である。
【図７】使用済みのフイルムユニットをリサイクルするまでの工程を示す説明図である。
【図８】仕分けラインを示す説明図である。
【図９】仕分けラインの制御部の動作を示すフローチャート図である。
【図１０】画像処理・識別回路が識別するときの手順を説明したフローチャート図である。
【図１１】画像処理・識別回路で識別情報（識別結果コード）を作る方法を説明する説明図である。
【符号の説明】
【００５０】
１０  フイルムユニット
３５  仕分けライン
３６〜３８  分解ライン
４５  品種識別部
５２〜５４  振り分け部
５８〜６０  バッファ部
７０  撮影部
【図１】
2005081249.tif 000003
【図２】
2005081249.tif 000004
【図３】
2005081249.tif 000005
【図４】
2005081249.tif 000006
【図５】
2005081249.tif 000007
【図６】
2005081249.tif 000008
【図７】
2005081249.tif 000009
【図８】
2005081249.tif 000010
【図９】
2005081249.tif 000011
【図１０】
2005081249.tif 000012
【図１１】
2005081249.tif 000013